(57)【要約】【課題】  ドアをどの位置に設置する場合にも防水パンを共通化して、ドア側の入口段差を無くすことのできる浴室ユニットを提供する。【解決手段】  浴室ユニット１の洗い場を、排水口６を有する防水パン２と、別体の排水口を有さない洗い場パネル１１で構成し、洗い場パネル１１は、防水パンの１辺に設けられるドア１２の側の上面をドア下枠１２ａの上面と略同高さにして、ドア１２と反対方向へ向かって一定勾配で下傾させて防水パン２上に覆設される。【選択図】  図３
2006328772.tif 000002
【特許請求の範囲】
【請求項１】
洗い場を、排水口を有する防水パンと、別体の排水口を有さない洗い場パネルで構成し、前記洗い場パネルは、防水パンの１辺に設けられるドアの側の上面をドア下枠の上面と略同高さにして、ドアと反対方向へ向かって一定勾配で下傾させて前記防水パン上に覆設したことを特徴とする浴室ユニット。
【請求項２】
洗い場が、浴槽設置側の辺の中央部に排水口を有する防水パンと、別体の排水口を有さない洗い場パネルで構成され、前記洗い場パネルは、前記排水口側の１辺を除く３辺の外周側に急勾配な急勾配区間が形成されているとともに、急勾配区間の内側は前記排水口に向かって緩やかな勾配に形成されてなり、該洗い場パネルの前記急勾配区間の外周上面をドア下枠の上面と略同高さにして、該洗い場パネルを前記防水パン上に覆設したことを特徴とする浴室ユニット。
【請求項３】
前記防水パンは、前記排水口側の１辺を除く３辺の外周側に壁載置面が立ち上げられ、ドア設置部分のみが落し込まれて形成され、該落し込み部分にドア下枠が設置された状態で、該ドア下枠の上面と前記壁載置面とが略同高さとなるように設定されていることを特徴とする請求項１または請求項２に記載の浴室ユニット。
【発明の詳細な説明】
【技術分野】
【０００１】
本発明は、洗い場が、排水口を有する防水パンと、別体の排水口を有さない洗い場パネルで構成される浴室ユニットに関するものである。
【背景技術】
【０００２】
従来、特許文献１に開示されているように、床部材に排水口が設けられ、この床部材の下方に防水パンが設けられて、浴室用洗い場パンが、防水パンと床部材とからなる二重床構造に形成されたものがある。
【特許文献１】特開２００２−１２９６１９号公報
【発明の開示】
【発明が解決しようとする課題】
【０００３】
上記特許文献１に開示されている構造のものは、床部材に排水口が形成されて、床部材が複雑な形状となっており、また、任意のドア位置に対応できるものではなく、ドアの設置位置が異なる場合には、防水パンの形状も異なるものとなり、ドアの設置位置に対応した複数種類の防水パンを用意しておく必要があった。
【課題を解決するための手段】
【０００４】
本発明は上記従来の問題点に鑑み案出したものであって、どのような位置にドアを設置する場合でも共通の防水パンを使用することができ、構造も単純化できる浴室ユニットを提供するものであり、その請求項１は、洗い場を、排水口を有する防水パンと、別体の排水口を有さない洗い場パネルで構成し、前記洗い場パネルは、防水パンの１辺に設けられるドアの側の上面をドア下枠の上面と略同高さにして、ドアと反対方向へ向かって一定勾配で下傾させて前記防水パン上に覆設したことである。
【０００５】
また請求項２は、洗い場が、浴槽設置側の辺の中央部に排水口を有する防水パンと、別体の排水口を有さない洗い場パネルで構成され、前記洗い場パネルは、前記排水口側の１辺を除く３辺の外周側に急勾配な急勾配区間が形成されているとともに、急勾配区間の内側は前記排水口に向かって緩やかな勾配に形成されてなり、該洗い場パネルの前記急勾配区間の外周上面をドア下枠の上面と略同高さにして、該洗い場パネルを前記防水パン上に覆設したことである。
【０００６】
また請求項３は、前記防水パンは、前記排水口側の１辺を除く３辺の外周側に壁載置面が立ち上げられ、ドア設置部分のみが落し込まれて形成され、該落し込み部分にドア下枠が設置された状態で、該ドア下枠の上面と前記壁載置面とが略同高さとなるように設定されていることである。
【発明の効果】
【０００７】
本発明の浴室ユニットは、洗い場パネルを、ドア側の上面をドア下枠の上面と略同高さにして、ドアと反対方向へ向かって一定勾配で下傾させて防水パン上に覆設したことにより、防水パン側に排水口が設けられているため、別体の洗い場パネルは単純な構造に形成しておくことができ、洗い場パネルのドア側の上面をドア下枠の上面と略同一高さに合せ、洗い場パネルをドア側を基点としてドアと反対方向へ向かって一定勾配で防水パン上に覆設して、ドア下枠を落し込まなくても洗い場パネルとドア下枠とをフラットな繋がりとすることができ、入口の段差を無くすことができて、ドアの設置位置がどの位置であっても、防水パンは共通のものを用いることができるものとなる。
【０００８】
また、洗い場パネルは、排水口側の１辺を除く３辺の外周側に急勾配な急勾配区間が形成され、急勾配区間の内側は排水口に向かって緩やかな勾配に形成されてなり、洗い場パネルの急勾配区間の外周上面をドア下枠の上面と略同高さにして、洗い場パネルを防水パン上に覆設したことにより、ドア下枠を落し込まなくても、洗い場パネルとドア下枠の上面をフラットな繋がりとすることができ、壁載置面を切り欠く等の２次加工をしなくても入口の段差を無くすことができ、またドアがどのような位置に設置される場合でも、防水パンを共通化させることができるものとなる。
【０００９】
また、防水パンは、排水口側の１辺を除く３辺の外周側に壁載置面が立ち上げられ、ドア設置部分のみが落し込まれて形成され、落し込み部分にドア下枠が設置された状態で、ドア下枠の上面と壁載置面とが略同高さとなるように設定されていることにより、ドアが設置される部分が落し込まれているため、この落し込み部分にドア下枠が設置され、ドア下枠の上面を基点として洗い場パネルをドアと反対方向へ水勾配を形成させて防水パン上に覆設することで、壁載置面が洗い場パネルの上面よりも上になり、このため洗い場パネル上を流れる水が壁載置面に流れ込むことがなく、止水性能の信頼性が向上するものとなる。
【実施例】
【００１０】
以下、本発明の実施例を図面に基づいて説明する。
図１は、浴室ユニットを構成する防水パンと洗い場パネルの分解斜視図であり、浴室ユニット１の洗い場は、排水口６を有する防水パン２と、別体の排水口を有さない洗い場パネル１１の二重構造で構成されている。
防水パン２は、洗い場側３と浴槽を設置する浴槽設置側４が堤防５で仕切られており、堤防５の洗い場３側に排水口６が形成されている。
洗い場３側は、中央部に貫通状に作業口１０が形成されており、作業口１０の外周側で上方に立ち上げて立上部７が一体形成され、立上部７の上端から外側へ略水平状に壁載置面８が一体形成され、壁載置面８の外端に上方へ立ち上げて水切片９が一体形成されている。
【００１１】
なお、壁載置面８上には壁パネルが立設されるものであり、壁載置面８及び水切片９は、浴槽設置側４の外周にも連続して形成されている。
一方、洗い場パネル１１は、排水口を有さない単純な四角平板形状に形成されており、外周側には下方側へ垂下状に外周垂下片１１ａが一体形成されている。
この洗い場パネル１１は、防水パン２の洗い場側３の立上部７の内側に嵌め込みできる寸法に設定されており、洗い場パネル１１を防水パン２の洗い場側３に覆設することで、洗い場側３の作業口１０が洗い場パネル１１で蓋されるように構成されている。
【００１２】
図２は、洗い場パネル１１を防水パン２の洗い場側３上に覆設した状態の平面概略構成図であり、また図３は、図２のＡ−Ａ線断面概略構成図である。
図２及び図３では、防水パン２の長辺３ａ側にドア１２が設置される場合であり、ドア１２のドア下枠１２ａが長辺３ａ側の壁載置面８上に設置されて、ドア下枠２ａ上にドア１２が設置される。
【００１３】
即ち、ドア下枠１２ａは、壁載置面８を切り欠く等の２次加工を全くせずに、落し込み部分を形成させることなく、ドア位置の壁載置面８上に設置され、その他の壁載置面８上には複数枚の壁パネル１３が立設されるものである。
壁パネル１３及びドア下枠１２ａが壁載置面８上に設置された後に、壁載置面８と壁パネル１３の下端及びドア下枠１２ａの下端部分にコーティングが行われて、その後に防水パン２上に洗い場パネル１１が覆設されるものである。
【００１４】
図３に示すように、ドア下枠１２ａの上面と洗い場パネル１１の上面が略同一高さとなるように、洗い場パネル１１はドア１２側を基点として、ドア１２と反対側の方向に向かって一定勾配で下傾状となるように覆設されるものである。
即ち、洗い場パネル１１は、ドア１２が設置される長辺３ａ側の上面がドア下枠１２ａの上面とほぼ同一高さとなるように、洗い場パネル１１の下方に脚部材１４を配置させて、この脚部材１４上に洗い場パネル１１を載せ、反対側の長辺３ｃ側に向かって下傾させて設置されるものであり、長辺３ｃ側では洗い場パネル１１の外周が立上部７の内側に嵌め込み状となる。
【００１５】
このように、ドア１２側の高さを高くして、反対側の長辺３ｃ側に向かって一定勾配の水勾配が形成されるため、排水は、洗い場パネル１１上をドア１２側から長辺３ｃ側に向かって流れ、更に、長辺３ｃ側から良好に排水口６側に流し込まれるものである。
このように、洗い場パネル１１により水勾配が形成されるものであるため、防水パン２は施工時に正確に水平状態に設置する必要がなく、防水パンの施工作業を簡略的に行うことができるものとなる。
【００１６】
また、洗い場パネル１１が覆設される前に壁パネル１３等の足元施工を容易に行うことができ、浴室ユニット１の施工作業が容易に行えるものである。
しかも、洗い場パネル１１が設置された状態では、洗い場パネル１１のドア１２側はドア下枠１２ａとフラットな状態となり、入口の段差を無くすことができるものとなる。
【００１７】
次に、図４の平面図で、また図５（図４のＢ−Ｂ線断面図）で示すものは、ドア１２を防水パン２の短辺３ｂ側に設置した場合の例である。
図４及び図５に示すように、短辺３ｂ側にドア１２が設置される現場においても、脚部材１４等に介して、ドア下枠１２ａの上面の高さと洗い場パネル１１のドア１２側の上面高さをほぼ同一高さに設定し、洗い場パネル１１をドア１２と反対側の排水口６側に向かって下傾させて、排水口６に向かう水勾配を形成させることができる。
この場合も、防水パン２及び洗い場パネル１１は同一のものを用いて施工することができるものであり、ドア１２がどの位置に設置される場合においても、防水パン２及び洗い場パネル１１を共通化させて使用することができ、部品点数が減少してコストを低減させることができるものとなる。
また、ドア１２が長辺３ａ，３ｃ，短辺３ｂの何れの位置に設置される場合でも、良好に洗い場パネル１１とドア下枠１２ａの上面高さを同一高さに設定して、出入口の段差を無くしてフラットな状態に設置できるものである。
【００１８】
次に、図６の平面図で、また図７（図６のＣ−Ｃ断面）で示すものは、洗い場パネル１１の変形例であり、図６及び図７の洗い場パネル１１は、排水口６側の１辺を除く３辺の外周側に急勾配な急勾配区間Ｓ１，Ｓ１，Ｓ１が形成されており、この急勾配区間Ｓ１，Ｓ１，Ｓ１の内側は、なだらかな勾配の緩勾配区間Ｓ２に形成されたものである。
即ち、防水パン２の長辺３ａ，３ｃ及び短辺３ｂと整合する洗い場パネル１１の外周３辺に、急勾配区間Ｓ１，Ｓ１，Ｓ１が形成されたものである。
【００１９】
このような形状の洗い場パネル１１を用いる場合には、ドア１２が長辺３ａ，３ｃ又は短辺３ｂの何れの位置に設置される場合でも、排水側の１辺１１Ａを防水パン２の排水口６側に向けて配置させて、防水パン２の洗い場側３上に覆設することができるものであり、覆設した状態では、ドア下枠１２ａの上面と急勾配区間Ｓ１，Ｓ１の外周上面が同一高さとなるように設定されている。
即ち、洗い場パネル１１の外周垂下片１１ａの高さを、防水パン２の立上部７とドア下枠１２ａの高さとを加えた高さに相当する高さに設定しておけば、洗い場３側上に洗い場パネル１１を覆設した状態で、ドア下枠１２ａの上面と急勾配区間Ｓ１の外周上面の高さがほぼ同一となり、入口の段差を無くした状態に設置できるものである。
本例の洗い場パネル１１では、急勾配区間Ｓ１，Ｓ１，Ｓ１側から排水が内側の緩勾配区間Ｓ２に流れ込み、良好に排水口６に排水することができるものとなる。
【００２０】
なお、図８で示すものは、構造の異なる防水パン上に別体の洗い場パネル１１を覆設した縦断面要部拡大図である。
図８の防水パン２は、外周下面側が角パイプ等のフレーム１５で補強され、全体の断面形状で強度が高められている。
また、洗い場パネル１１の下面に、複数のリブ脚１１ｂが突出形成されたものを例示している。
洗い場パネル１１を防水パン２上に覆設する際に、防水パン２上のドア１２側に脚部材１４を適宜設置しておき、この脚部材１４上に洗い場パネル１１のリブ脚１１ｂを載せて良好に高さを調整し、また水勾配も調整することができるものである。
更に、作業口１０上にも別形状の脚部材１４ａを設けて、この脚部材１４ａ上に洗い場パネル１１の下面を当接させて水勾配を調整したものである。
【００２１】
図８では、洗い場パネル１１の外周とドア下枠１２ａとの当接部、及び、洗い場パネル１１の外周と壁パネル１３との当接部に目地材１６を充填して止水処理したものである。
なお、この場合も、下枠１２ａの上面とドア１２側の洗い場パネル１１の上面高さは同一高さに設定して、入口の段差を無くしてフラットな状態にし、ドア１２と反対側の壁パネル１３側に向かって水勾配を形成させたものである。
【００２２】
次に、図９の要部斜視図で示す防水パン２は、ドアを設置する部分を切り欠いて落し込み部分Ｋを形成させたものである。
即ち、落し込み部分Ｋでは、防水パン２の立上部７，壁載置面８，水切片９が切り欠かれており、この落し込み部分Ｋ上に、図１０の断面図で示すように、ドア下枠１２ａを設け、このドア下枠１２ａ上にドア１２が設置されるものである。
ドア下枠１２ａが落し込み部分Ｋに設置された状態では、ドア下枠１２ａの上面は防水パンの壁載置面８の高さとほぼ同一高さとなり、更に、このドア下枠１２ａの上面と洗い場パネル１１のドア側上面が同一高さとなるように、洗い場パネル１１が防水パン２上に覆設されることにより、壁載置面８は洗い場パネル１１の上面よりも上になり、洗い場パネル１１上を流れる排水が壁載置面８上に流れ込むことがなくなるため、このような構造では止水性能の信頼性が向上するものとなる。
【図面の簡単な説明】
【００２３】
【図１】浴室ユニットを構成する防水パンと洗い場パネルの分解斜視図である。
【図２】洗い場パネルを覆設した状態の平面概略構成図である。
【図３】図２のＡ−Ａ線断面構成図である。
【図４】ドアの設置位置が異なる場合の洗い場パネルの覆設状態の平面構成図である。
【図５】図４のＢ−Ｂ線断面構成図である。
【図６】洗い場パネルの変更例を示す平面構成図である。
【図７】図６のＣ−Ｃ線断面構成図である。
【図８】異なる形状の防水パン上に洗い場パネルを覆設した状態の要部縦断面拡大構成図である。
【図９】ドア設置用の落し込み部分を防水パンに形成させた要部斜視構成図である。
【図１０】図９の落し込み部分にドア下枠を設置して洗い場パネルを覆設した状態の要部縦断面構成図である。
【符号の説明】
【００２４】
１  浴室ユニット
２  防水パン
３  洗い場側
３ａ，３ｃ  長辺
３ｂ  短辺
４  浴槽設置側
５  堤防
６  排水口
７  立上部
８  壁載置面
９  水切片
１０  作業口
１１  洗い場パネル
１１ａ  外周垂下片
１２  ドア
１２ａ  ドア下枠
１３  壁パネル
１４  脚部材
１５  フレーム
Ｋ  落し込み部分
Ｓ１  急勾配区間
Ｓ２  緩勾配区間
【図１】
2006328772.tif 000003
【図２】
2006328772.tif 000004
【図３】
2006328772.tif 000005
【図４】
2006328772.tif 000006
【図５】
2006328772.tif 000007
【図６】
2006328772.tif 000008
【図７】
2006328772.tif 000009
【図８】
2006328772.tif 000010
【図９】
2006328772.tif 000011
【図１０】
2006328772.tif 000012